(57)【特許請求の範囲】
【請求項１】
ソケットをスイッチ・オンまたはオフするための方法であって、
前記ソケットのプロセッサが電源オフ後に再起動されているか否かを判断することと、
電源オフ後に前記プロセッサが再起動されているとき、前記プロセッサが、
前記ソケットの状態をオフ状態に設定することと、
異常メッセージを生成しネットワーク側に送信することと、
前記ソケットのＩＤ識別を取得することと、を含み、
前記異常メッセージは少なくとも、前記プロセッサが電源オフ後に再起動されていることを識別するデータと、前記ソケットの前記ＩＤ識別とを含み、
前記ネットワーク側は前記異常メッセージを所定の端末に転送する方法。
【請求項２】
前記ソケットのプロセッサが電源オフ後に再起動されているか否かを判断することは、
前記ソケットの供給電圧を検出することと、
前記ソケットの前記プロセッサが電源オフ後に再起動されているか否かを前記供給電圧の変化により判定することと、を含む請求項１に記載の方法。
【請求項３】
前記ソケットの状態をオフ状態に設定した後に、さらに、
前記ネットワーク側によって転送され、ユーザ操作により生成され、前記所定の端末が前記異常メッセージを通知した後に前記ネットワーク側に送られるスイッチ・オン命令を受信することと、
前記ソケットの状態を前記スイッチ・オン命令によりオン状態に設定することと、を含む請求項１に記載の方法。
【請求項４】
前記ソケットの状態をオフ状態に設定した後に、さらに、
電源オフされる前の前記ソケットの状態を取得することと、
電源オフされる前の前記ソケットの状態がオン状態であるときに、前記ソケットの状態をオン状態に設定することと、を含む請求項１乃至３いずれか１項に記載の方法。
【請求項５】
ソケットをスイッチ・オンまたはオフするためのデバイスであって、
前記ソケットのプロセッサが電源オフ後に再起動されているか否かを判断するように構成されている判断モジュールと、
前記プロセッサが電源オフ後に再起動されているときに前記ソケットの状態をオフ状態に設定するように構成されている制御モジュールと、
前記プロセッサが電源オフ後に再起動されているときに前記ソケットのＩＤ識別を取得するように構成されている第１の取得モジュールと、
前記プロセッサが電源オフ後に再起動されているときに前記プロセッサが電源オフ後に再起動されていることを識別するデータと、前記ＩＤ識別とを含むように異常メッセージを生成するように構成されている生成モジュールと、
前記生成された異常メッセージを、ネットワーク側を介して所定の端末に送信するように構成されている送信モジュールと、
を含むデバイス。
【請求項６】
前記判断モジュールは、
前記ソケットの供給電圧を検出するように構成されている検出サブ・モジュールと、
前記ソケットの前記プロセッサが電源オフ後に再起動されているか否かを前記供給電圧の変化により判定するように構成されている判定サブ・モジュールと、を含む請求項５に記載のデバイス。
【請求項７】
前記ソケットの状態をオフ状態に設定した後に前記ネットワーク側によって転送されるスイッチ・オン命令を受信するように構成されている受信モジュールをさらに備え、前記スイッチ・オン命令は、ユーザ操作により生成され、前記所定の端末が前記異常メッセージを通知した後に前記ネットワーク側に送られ、
前記制御モジュールは、前記スイッチ・オン命令により前記ソケットの状態をオン状態に設定するように構成されている請求項５に記載のデバイス。
【請求項８】
電源オフされる前の前記ソケットの状態を前記ソケットの状態がオフ状態に設定された後に取得するように構成されている第２の取得モジュールをさらに含み、
前記制御モジュールは、電源オフされる前の前記ソケットの状態がオン状態であるときに前記ソケットの状態をオン状態に設定するように構成されている請求項５乃至７いずれか１項に記載のデバイス。
【請求項９】
コンピュータ上で実行されたときに請求項１乃至４いずれか１項に記載のソケットをスイッチ・オンまたはオフするための方法をコンピュータに実行させる、コンピュータプログラム。
【請求項１０】
請求項９に記載のコンピュータプログラムが記憶されたコンピュータ可読記憶装置。
【発明の詳細な説明】
【技術分野】
【０００１】
本出願は、中国特許出願第２０１４１０８３５８４３．３号（２０１４年１２月２６日に出願）に基づいており、それに対する優先権を主張する。なお、この文献の全体の内容は本明細書において参照により取り入れられている。
【０００２】
本開示は全般的に、電力制御の技術分野に関し、より詳細には、ソケットをスイッチ・オンまたはオフするための方法および装置に関する。
【背景技術】
【０００３】
スマート・ソケットは、シンプルで有用なスマートな製品として、大多数のユーザの家への導入がますます広く行なわれている。スマート・ソケットは、徐々に従来のソケットに取って代わってユーザの日常生活において重要なコンポーネントになっており、ユーザの生活様式を徐々に変えている。スマート・ソケットの特別な用途により、ソケットに接続された各電気機器（たとえば電気調理器具および温水器）はノーマリー・オン状態にあり、電気器具のオン・オフ機能はスマート・ソケットによって行なわれる。
【発明の概要】
【発明が解決しようとする課題】
【０００４】
したがって、本開示の実施形態によって、ソケットをスイッチ・オンまたはオフするための方法およびデバイスが提供される。
【課題を解決するための手段】
【０００５】
本開示の実施形態の第１の態様によれば、ソケットをスイッチ・オンまたはオフするための方法であって、ソケットのプロセッサが電源オフ後に再起動されているか否かを判断することと、プロセッサが電源オフ後に再起動されているときにソケットの状態をオフ状態に設定することと、を含む方法が提供される。
【０００６】
実施形態において、事故の発生（たとえば電気器具に対する損傷および火災災害）を回避するために、突然の停電の後に電力が再び回復したときに、ソケットの状態をオフ状態に設定して、ソケットに接続された電気器具の安全を確保することにより、火災災害の隠れた危険性を取り除く。
【０００７】
任意的に、ソケットのプロセッサが電源オフ後に再起動されているか否かを判断することは、ソケットの供給電圧を検出することと、ソケットのプロセッサが電源オフ後に再起動されているか否かを供給電圧の変化により判定することと、を含んでいる。
【０００８】
任意的な実施形態において、ソケットのプロセッサが電源オフ後に再起動されているか否かを供給電圧の変化により判断し、突然の停電が発生したときにソケットの供給電圧はゼロまで下がり、電力が再び回復したときに供給電圧は徐々に正常値に戻る。こうして、さらに供給電圧の変化により、ソケットのプロセッサが電源オフ後に再起動されているか否かをより正確に判定することにより、ソケットの状態を調整する精度がさらに向上する。
【０００９】
任意的に、ソケットのプロセッサが電源オフ後に再起動されているときに、本方法はさらに、異常メッセージをネットワーク側に送信することを備え、異常メッセージは少なくとも、ソケットのプロセッサが電源オフ後に再起動されていることを識別するデータを含み、ネットワーク側は異常メッセージを所定の端末に転送する。
【００１０】
任意的な実施形態において、突然の停電が発生した後に電力が再び回復したときに、ソケットはさらに、プロセッサが電源オフ後に再起動されているという状態を所定の端末にネットワーク側を介して転送して、ユーザに突然の停電の発生を遅れずに正確に通知してそれに応じてユーザが突然の停電を処理できるようにして、電気器具の安全を確保し、火災災害の隠れた危険性を取り除く。
【００１１】
任意的に、ソケットの状態をオフ状態に設定した後に、本方法はさらに、ネットワーク側によって転送され、ユーザ操作により生成され、所定の端末が異常メッセージを通知した後にネットワーク側に送られるスイッチ・オン命令を受信することと、ソケットの状態をスイッチ・オン命令によりオン状態に設定することと、を含んでいる。
【００１２】
任意的な実施形態において、異常な停電は無害であると判定したら、ユーザはスイッチ・オン命令をソケットにネットワーク側を介して送信して、ソケットをスイッチ・オンし、ソケットに接続された電気器具が動作を継続できるようにしても良い。
【００１３】
任意的に、ソケットのプロセッサが電源オフ後に再起動されているときに、本方法はさらに、ソケットのＩＤ識別を取得することと、異常メッセージを生成することとを備え、異常メッセージはさらにソケットのＩＤ識別を含む。
【００１４】
任意的な実施形態において、ソケットのＩＤ識別を異常メッセージ内に加えることによって、ユーザは、どのソケットをスイッチ・オンすべきかの決定をより正確に行なうことができて、安全性が向上し、不可欠の電気器具が同時に正常に動作できることが確実になり、その結果、ユーザー・エクスペリエンスが高まる。
【００１５】
任意的に、ソケットの状態をオフ状態に設定した後に、本方法はさらに、電源オフされる前のソケットの状態を取得することと、電源オフされる前のソケットの状態がオン状態であるときにソケットの状態をオン状態に設定することと、を含む。
【００１６】
任意的な実施形態において、電源オフされる前のスイッチの状態をソケット内に記録しても良く、電源オフされる前のソケットの状態がオン状態である場合には、電力が再び回復された後にソケットを再びスイッチ・オンしても良い。こうして、安全性が向上して、不可欠の電気器具が同時に正常に動作することが確実になり、その結果、ユーザー・エクスペリエンスが高まる。
【００１７】
本開示の実施形態の第２の態様によれば、ソケットをスイッチ・オンまたはオフするためのデバイスであって、ソケットのプロセッサが電源オフ後に再起動されているか否かを判断するように構成されている判断モジュールと、プロセッサが電源オフ後に再起動されているときにソケットの状態をオフ状態に設定するように構成されている制御モジュールと、を含むデバイスが提供される。
【００１８】
任意的に、判断モジュールは、ソケットの供給電圧を検出するように構成されている検出サブ・モジュールと、ソケットのプロセッサが電源オフ後に再起動されているか否かを供給電圧の変化により判定するように構成されている判定サブ・モジュールと、を含んでいる。
【００１９】
任意的に、デバイスはさらに、ソケットのプロセッサが電源オフ後に再起動されているときに異常メッセージをネットワーク側に送信するように構成されている送信モジュールをさらに備え、異常メッセージは少なくとも、ソケットのプロセッサが電源オフ後に再起動されていることを識別するデータを含み、ネットワーク側は異常メッセージを所定の端末に転送する。
【００２０】
任意的に、デバイスはさらに、ソケットの状態がオフ状態に設定された後に、ネットワーク側によって転送され、ユーザ操作により生成され、所定の端末が異常メッセージを通知した後にネットワーク側に送られるスイッチ・オン命令を受信するように構成されている受信モジュールをさらに備え、制御モジュールは、スイッチ・オン命令によりソケットの状態をオン状態に設定するように構成されている。
【００２１】
任意的に、デバイスはさらに、ソケットのプロセッサが電源オフ後に再起動されているときにソケットのＩＤ識別を取得するように構成されている第１の取得モジュールと、異常メッセージを生成するように構成されている生成モジュールとをさらに備え、異常メッセージはさらにソケットのＩＤ識別を含む。
【００２２】
任意的に、デバイスはさらに、電源オフされる前のソケットの状態をソケットの状態がオフ状態に設定された後に取得するように構成されている第２の取得モジュールと、電源オフされる前のソケットの状態がオン状態であるときにソケットの状態をオン状態に設定するように構成されている制御モジュールと、を含む。
【００２３】
本開示の実施形態の第３の態様によれば、ソケットをスイッチ・オンまたはオフするためのデバイスであって、プロセッサと、プロセッサによって実行可能な命令を記憶するためのメモリと、を含み、プロセッサは、ソケットのプロセッサが電源オフ後に再起動されているか否かを判断することと、プロセッサが電源オフ後に再起動されているときにソケットの状態をオフ状態に設定することと、を行なうように構成されているデバイスが提供される。
【００２４】
当然のことながら、前述の概要および以下の詳細な説明は両方とも単に典型的で説明的であり本開示を限定するものではない。
【図面の簡単な説明】
【００２５】
添付図面は、本明細書に取り入れられて本明細書の一部を構成するものであるが、本開示と一致する実施形態を例示し、説明とともに、本開示の原理を説明する役目を果たす。
【００２６】
【図１】例示的な実施形態によるソケットをスイッチ・オンまたはオフするための方法を示すフローチャートである。
【図２】別の例示的な実施形態によるソケットをスイッチ・オンまたはオフするための方法を示すフローチャートである。
【図３】別の例示的な実施形態によるソケットをスイッチ・オンまたはオフするための方法を示すフローチャートである。
【図４】別の例示的な実施形態によるソケットをスイッチ・オンまたはオフするための方法を示すフローチャートである。
【図５】別の例示的な実施形態によるソケットをスイッチ・オンまたはオフするための方法を示すフローチャートである。
【図６】別の例示的な実施形態によるソケットをスイッチ・オンまたはオフするための方法を示すフローチャートである。
【図７】例示的な実施形態による所定の端末における異常メッセージを示す概略図である。
【図８】例示的な実施形態によるソケットをスイッチ・オンまたはオフするためのデバイスのブロック図である。
【図９】例示的な実施形態による判断モジュールのブロック図である。
【図１０】別の例示的な実施形態によるソケットをスイッチ・オンまたはオフするためのデバイスのブロック図である。
【図１１】別の例示的な実施形態によるソケットをスイッチ・オンまたはオフするためのデバイスのブロック図である。
【図１２】別の例示的な実施形態によるソケットをスイッチ・オンまたはオフするためのデバイスのブロック図である。
【図１３】例示的な実施形態によるソケットをスイッチ・オンまたはオフするためのデバイスのブロック図である。
【発明を実施するための形態】
【００２７】
次に、例示的な実施形態について詳細に述べる。その実施例を添付図面に例示する。以下の記載で参照する添付図面では、異なる図面における同じ番号は、特に断りのない限り、同じかまたは同様の要素を表わしている。以下の例示的な実施形態の記載で述べる具体化は、本開示に一致するすべての具体化を表わしているわけではない。その代わりに、それらは単に、本開示に関係する態様と一致するデバイスおよび方法の実施例である。
【００２８】
図１は、例示的な実施形態によるソケットをスイッチ・オンまたはオフするための方法のフローチャートである。図１に示すように、ソケットをスイッチ・オンまたはオフするための方法はソケットにおいて用いられ、以下のステップを含んでいる。
【００２９】
ステップＳ１１において、ソケットのプロセッサが電源オフ後に再起動されているか否かを判断する。
【００３０】
ステップＳ１２において、プロセッサが電源オフ後に再起動されているときにソケットの状態をオフ状態に設定する。
【００３１】
実施形態において、突然の停電の後に電力が再び回復したときにソケットの状態がオン状態であると、ソケットに接続された電気器具が通電され、従って電気器具は、ユーザに知られることなく長時間動作する場合があり、その結果、電気器具に対して損傷が生じる場合があり、重大な事故たとえば火災災害につながる場合さえある。事故の発生（たとえば電気器具に対する損傷および火災災害）を回避するために、突然の停電の後に電力が再び回復したときに、ソケットの状態をオフ状態に設定して、ソケットに接続された電気器具の安全を確保することにより、火災災害の隠れた危険性を取り除く。
【００３２】
さらに、プロセッサが電源オフ後に再起動されているか否かにより、突然の停電の後に電力が再び回復されたか否かを判定する。突然の停電が発生したときにのみ、プロセッサを電源オフすることができ、電力が再び回復したときに、プロセッサを再起動することができる。ユーザがソケットのスイッチ・オフを自分自身で行なう場合、プロセッサが電源オフ後に再起動される状態は生じない。こうして、ソケットが異常であるか否かという判断をより正確に行なうことができるため、ソケットの状態をより正確に調整することができ、実際の状況により良好に適合する。
【００３３】
図２は、別の例示的な実施形態によるソケットをスイッチ・オンまたはオフするための方法を示すフローチャートである。図２に示すように、任意的に、ステップＳ１１は以下のステップを含む。
【００３４】
ステップＳ２１において、ソケットの供給電圧を検出する。
【００３５】
ステップＳ２２において、ソケットのプロセッサが電源オフ後に再起動されているか否かを供給電圧の変化により判定する。
【００３６】
任意的な実施形態において、ソケットのプロセッサが電源オフ後に再起動されているか否かを供給電圧の変化により判断し、突然の停電が発生したときにソケットの供給電圧はゼロまで下がり、電力が再び回復したときに供給電圧は徐々に正常値に戻る。こうして、さらに供給電圧の変化により、ソケットのプロセッサが電源オフ後に再起動されているか否かがより正確に判定され、その結果、ソケットの状態を調整する精度がさらに向上する。
【００３７】
任意的に、ソケットのプロセッサが電源オフ後に再起動されているときに、本方法はさらに以下のステップを含む。
【００３８】
異常メッセージがネットワーク側に送られる。異常メッセージは少なくとも、ソケットのプロセッサが電源オフ後に再起動されていることを識別するデータを含み、ネットワーク側は異常メッセージを所定の端末に転送する。
【００３９】
任意的な実施形態において、突然の停電が発生した後に電力が再び回復したときに、ソケットはさらに、プロセッサが電源オフ後に再起動されているという状態を所定の端末にネットワーク側を介して転送して、ユーザに突然の停電の発生を遅れずに正確に通知してそれに応じてユーザが突然の停電を処理できるようにして、電気器具の安全を確保し、火災災害の隠れた危険性を取り除く。
【００４０】
図３は、別の例示的な実施形態によるソケットをスイッチ・オンまたはオフするための方法を示すフローチャートである。図３に示すように、プロセッサが電源オフ後に再起動されているときに、本方法はさらに以下のステップを含む。
【００４１】
ステップＳ３１において、ネットワーク側によって転送されるスイッチ・オン命令を受信する。スイッチ・オン命令はユーザ操作により生成され、所定の端末が異常メッセージを通知した後にネットワーク側に送られる。
【００４２】
ステップＳ３２において、ソケットの状態をスイッチ・オン命令によりオン状態に設定する。
【００４３】
任意的な実施形態において、異常な停電は無害であると判定したら、ユーザはスイッチ・オン命令をソケットにネットワーク側を介して送信してソケットをスイッチ・オンし、ソケットに接続された電気器具が動作を継続できるようにする。
【００４４】
たとえば、ソケットに接続された電気器具は自宅における冷蔵庫であっても良い。停電後に電力が再び回復したときに、ユーザは、ソケットを再びスイッチ・オンすることは無害であると判定し、スイッチ・オン命令をソケットに端末を介して送信してソケットをスイッチ・オンしても良い。こうして、冷蔵庫は通電されて正常に動作し、冷蔵庫内の食品が腐らないことが確実になる。
【００４５】
図４は、別の例示的な実施形態によるソケットをスイッチ・オンまたはオフするための方法を示すフローチャートである。図４に示すように、任意的に、プロセッサが電源オフ後に再起動されているときに、本方法はさらに以下のステップを含む。
【００４６】
ステップＳ４１において、ソケットのＩＤ識別を取得する。
【００４７】
ステップＳ４２において、異常メッセージを生成する。異常メッセージはさらにソケットのＩＤ識別を含む。
【００４８】
任意的な実施形態において、複数のソケットが自宅にあっても良く、各ソケットが１または複数の異なる電気器具に接続されていても良い。たとえば、ソケットＡは冷蔵庫に接続され、ソケットＢは空調装置に接続され、ソケットＣは電子レンジおよびベーカーに接続されている。停電後に電力が再び回復したときに、各ソケットは異常メッセージをユーザの所定の端末Ｕ１に送信し、異常メッセージは各ソケットのＩＤ識別を含んでいる。ユーザは、ソケットに接続された電気器具が何であるかをソケットのＩＤ識別により決定して、これらの電気器具に接続されたソケットをスイッチ・オンするか否かを判定しても良い。前述の３種類のソケットに対して、ユーザはソケットＡをスイッチ・オンして、冷蔵庫が正常に動作することを確実にする決定をしても良く、ユーザはソケットＢおよびソケットＣをオフ状態に保って、電気器具の安全を確保して事故の発生を回避する決定をしても良い。こうして、ソケットのＩＤ識別を異常メッセージ内に加えることによって、ユーザは、どのソケットをスイッチ・オンすべきかの決定をより正確に行なうことができて、安全性が向上し、不可欠の電気器具が同時に正常に動作できることが確実になり、その結果、ユーザー・エクスペリエンスが高まる。
【００４９】
図５は、別の例示的な実施形態によるソケットをスイッチ・オンまたはオフするための方法を示すフローチャートである。図５に示すように、任意的に、ソケットの状態をオフ状態に設定した後に、本方法はさらに以下のステップを含む。
【００５０】
ステップＳ５１において、電源オフされる前のソケットの状態を取得する。
【００５１】
ステップＳ５２において、電源オフされる前のソケットの状態がオン状態であるときに、ソケットの状態をオン状態に設定する。
【００５２】
任意的な実施形態において、電源オフされる前のスイッチの状態をソケット内に記録しても良く、電源オフされる前のソケットの状態がオン状態である場合には、電力が再び回復された後にソケットを再びスイッチ・オンしても良い。こうして、安全性が向上し、不可欠の電気器具が同時に正常に動作することが確実になり、その結果、ユーザー・エクスペリエンスが高まる。
【００５３】
図６は、別の例示的な実施形態によるソケットをスイッチ・オンまたはオフするための方法を示すフローチャートである。図６に示すように、ソケットをスイッチ・オンまたはオフするための方法は、以下のステップを含む。
【００５４】
ステップＳ６０１において、ソケットは、電源オフ後にソケット内のプロセッサが再起動されているか否かを判断して、そうである場合にはステップＳ６０２を実行し、そうでない場合にはステップＳ６０１は終了する。
【００５５】
ステップＳ６０２において、ソケットはそれ自体の供給電圧を検出する。
【００５６】
ステップＳ６０３において、供給電圧の変化が所定の電圧変化ルールを満たすか否かを判断して、そうである場合にはステップＳ６０４を実行し、そうでない場合にはステップＳ６０３は終了する。
【００５７】
ステップＳ６０４において、ソケットはそれ自体の状態をオフ状態に設定する。
【００５８】
ステップＳ６０５において、ソケットはそれ自体のＩＤ識別電源ソケット−Ａを取得する。
【００５９】
ステップＳ６０６において、ソケットはそれ自体のＩＤ識別を含む異常メッセージを生成する。
【００６０】
ステップＳ６０７において、ソケットは異常メッセージを所定の端末Ｕ１にネットワーク側を介して転送する。
【００６１】
ステップＳ６０８において、所定の端末Ｕ１は異常メッセージを通知する。
【００６２】
図７は、例示的な実施形態による所定の端末における異常メッセージを示す概略図である。図７に示すように、ソケット電源ソケット−Ａが異常であることがユーザに対して通知され、ソケットＡをスイッチ・オンするか否かに対する選択肢がユーザに与えられる。
【００６３】
ステップＳ６０９において、ソケットをスイッチ・オンすることに対してユーザが選択肢「Ｙｅｓ」を選択すると、所定の端末Ｕ１はスイッチ・オン命令を生成する。
【００６４】
ステップＳ６１０において、所定の端末Ｕ１はスイッチ・オン命令をソケット電源ソケット−Ａにネットワーク側を介して転送する。
【００６５】
ステップＳ６１１において、ソケットは、スイッチ・オン命令により、それ自体の状態をオン状態に設定する。
【００６６】
実施形態において、突然の停電が発生した後に電力が再び回復したときに、ソケットの状態をオフ状態に設定して、ソケットに接続された電気器具の安全を確保し、火災災害の隠れた危険性を取り除く。また、さらに供給電圧の変化により、ソケットのプロセッサが電源オフ後に再起動されているか否かをより正確に判定することができ、その結果、ソケットの状態を調整する精度がさらに向上する。加えて、突然の停電が発生した後に電力が再び回復したときに、ソケットはさらに、プロセッサが電源オフ後に再起動されているという状態を所定の端末にネットワーク側を介して転送して、ユーザに突然の停電の発生を遅れずに正確に通知してそれに応じてユーザが突然の停電を処理できるようにして、電気器具の安全を確保し、火災災害の隠れた危険性を取り除く。
【００６７】
図８は、例示的な実施形態によるソケットをスイッチ・オンまたはオフするためのデバイスのブロック図である。図８に示すように、デバイスは判断モジュール８１と制御モジュール８２とを含む。
【００６８】
判断モジュール８１は、ソケットのプロセッサが電源オフ後に再起動されているか否かを判断するように構成されている。
【００６９】
制御モジュール８２は、プロセッサが電源オフ後に再起動されているときにソケットの状態をオフ状態に設定するように構成されている。
【００７０】
図９は、例示的な実施形態による判断モジュールのブロック図である。図９に示すように、任意的に、判断モジュール８１は、ソケットの供給電圧を検出するように構成されている検出サブ・モジュール９１と、ソケットのプロセッサが電源オフ後に再起動されているか否かを供給電圧の変化により判定するように構成されている判定サブ・モジュール９２と、を含んでいる。
【００７１】
図１０は、別の例示的な実施形態によるソケットをスイッチ・オンまたはオフするためのデバイスのブロック図である。図１０に示すように、任意的に、デバイスはさらに、ソケットのプロセッサが電源オフ後に再起動されているときに異常メッセージをネットワーク側に送信するように構成されている送信モジュール８３をさらに備え、異常メッセージは少なくとも、ソケットのプロセッサが電源オフ後に再起動されていることを識別するデータを含み、ネットワーク側は異常メッセージを所定の端末に転送する。
【００７２】
図１０に示すように、任意的に、デバイスはさらに、ソケットの状態がオフ状態に設定された後にネットワーク側によって転送され、ユーザ操作により生成され、所定の端末が異常メッセージを通知した後にネットワーク側に送られるスイッチ・オン命令を受信するように構成されている受信モジュール８４をさらに備え、制御モジュール８２は、スイッチ・オン命令によりソケットの状態をオン状態に設定するように構成されている。
【００７３】
図１１は、別の例示的な実施形態によるソケットをスイッチ・オンまたはオフするためのデバイスのブロック図である。図１１に示すように、デバイスはさらに、ソケットのプロセッサが電源オフ後に再起動されているときにソケットのＩＤ識別を取得するように構成されている第１の取得モジュール８５と、異常メッセージを生成するように構成されている生成モジュール８６とをさらに備え、異常メッセージはさらにソケットのＩＤ識別を含む。
【００７４】
図１２は、別の例示的な実施形態によるソケットをスイッチ・オンまたはオフするためのデバイスのブロック図である。図１２に示すように、デバイスはさらに、電源オフされる前のソケットの状態をソケットの状態がオフ状態に設定された後に取得するように構成されている第２の取得モジュール８７を含み、制御モジュール８２は、電源オフされる前のソケットの状態がオン状態であるときにソケットの状態をオン状態に設定するように構成されている。
【００７５】
前述の実施形態におけるデバイスに関して、その中の個々のモジュールに対する動作を行なうための具体的な仕方についての詳細な説明を、ソケットをスイッチ・オンまたはオフするための方法についての実施形態において行なっており、ここでは詳しく述べない。
【００７６】
本開示はさらに、ソケットをスイッチ・オンまたはオフするためのデバイスが提供され、プロセッサと、プロセッサによって実行可能な命令を記憶するためのメモリと、を含み、プロセッサは、ソケットのプロセッサが電源オフ後に再起動されているか否かを判断することと、プロセッサが電源オフ後に再起動されているときにソケットの状態をオフ状態に設定することと、を行なうように構成されている。
【００７７】
図１３は、例示的な実施形態によるソケットをスイッチ・オンまたはオフするためのデバイスのブロック図である。たとえば、デバイス１３００はスマート・ソケットであっても良い。
【００７８】
図１３を参照して、デバイス１３００は、以下のコンポーネントのうちの１または複数を含んでいても良い。処理コンポーネント１３０２、メモリ１３０４、電力コンポーネント１３０６、マルチメディア・コンポーネント１３０８、オーディオ・コンポーネント
１３１０、入出力（Ｉ／Ｏ）インターフェース１３１２、センサ・コンポーネント１３１４、および通信コンポーネント１３１６。
【００７９】
処理コンポーネント１３０２は通常は、デバイス１３００の全体動作（たとえば通知に付随する動作、電話呼び出し、データ通信、カメラ動作、および記録動作）を制御する。処理コンポーネント１３０２は、１または複数のプロセッサ１３２０を含んで、前述の方法におけるステップの全部または一部を行なうための命令を実行しても良い。また、処理コンポーネント１３０２は、処理コンポーネント１３０２と他のコンポーネントとの間のやり取りを円滑にする１または複数のモジュールを含んでいても良い。たとえば、処理コンポーネント１３０２は、マルチメディア・コンポーネント１３０８と処理コンポーネント１３０２との間のやり取りを円滑にするマルチメディア・モジュールを含んでいても良い。
【００８０】
メモリ１３０４は、デバイス１３００の動作をサポートする種々のタイプのデータを記憶するように構成されている。このようなデータの例としては、デバイス１３００上で動作する任意のアプリケーションまたは方法に対する命令、連絡先データ、電話帳データ、メッセージ、画像、映像などが挙げられる。メモリ１３０４は任意のタイプの揮発性もしくは不揮発性メモリデバイス、またはそれらの組み合わせを用いて実施しても良い。たとえばスタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気または光ディスクである。
【００８１】
電力コンポーネント１３０６は、デバイス１３００の種々のコンポーネントに電力を供給する。電力コンポーネント１３０６には、パワー・マネージメント・システム、１または複数の電源、ならびに任意の他のコンポーネントであって、デバイス１３００内の電力の発生、管理、および分配に関係づけられるものが含まれていても良い。
【００８２】
マルチメディア・コンポーネント１３０８には、デバイス１３００とユーザとの間の出力インターフェースとなるスクリーンが含まれる。いくつかの実施形態では、スクリーンには液晶ディスプレイ（ＬＣＤ）およびタッチパネル（ＴＰ）が含まれていても良い。スクリーンにタッチパネルが含まれている場合、スクリーンを、入力信号をユーザから受信するタッチスクリーンとして実施しても良い。タッチパネルには、タッチパネル上のタッチ、スワイプ、およびジェスチャを検知する１または複数のタッチセンサが含まれる。タッチセンサは、タッチまたはスワイプ行為の境界を検知するだけでなく、タッチまたはスワイプ行為に関係づけられる時間および圧力を検知しても良い。いくつかの実施形態では、マルチメディア・コンポーネント１３０８にはフロント・カメラおよび／またはリア・カメラが含まれる。フロント・カメラおよび／またはリア・カメラは、デバイス１３００が動作モード（たとえば、撮影モードまたは映像モード）にあるときに、外部のマルチメディア・データを受信しても良い。フロント・カメラおよびリア・カメラはそれぞれ、固定光学レンズ・システムであっても良いし、またはフォーカスおよび光学ズーム能力を有していても良い。
【００８３】
オーディオ・コンポーネント１３１０は、オーディオ信号を出力および／または入力するように構成されている。たとえば、オーディオ・コンポーネント１３１０は、デバイス１３００が動作モード（たとえば通話モード、記録モード、および音声認識モード）にあるときに、外部のオーディオ信号を受信するように構成されているマイクロフォン（「ＭＩＣ」）を含んでいる。受信したオーディオ信号をさらに、メモリ１３０４に記憶しても良いし、または通信コンポーネント１３１６を介して転送しても良い。いくつかの実施形態では、オーディオ・コンポーネント１３１０にはさらに、オーディオ信号を出力するためのスピーカが含まれる。
【００８４】
Ｉ／Ｏインターフェース１３１２は、処理コンポーネント１３０２と周辺のインターフェース・モジュール（たとえば、キーボード、クリックホイール、ボタンなど）との間のインターフェースとなる。ボタンとしては、ホームボタン、ボリュームボタン、開始ボタン、およびロッキングボタンを挙げても良いが、これらに限定されない。
【００８５】
センサ・コンポーネント１３１４には、デバイス１３００の種々の態様のステータス評価を与えるための１または複数のセンサが含まれている。たとえば、センサ・コンポーネント１３１４は、以下のものを検出しても良い。デバイス１３００の開／閉ステータス、デバイス１３００のコンポーネント（たとえば、ディスプレイおよびキーパッド）の相対位置決め、デバイス１３００またはデバイス１３００のコンポーネントの位置の変化、デバイス１３００と接触するユーザの存在または不在、デバイス１３００の方位または加速／減速、およびデバイス１３００の温度の変化。センサ・コンポーネント１３１４には、近くの物体の存在をわずかな物理的接触もなしに検出するように構成されている近接センサが含まれていても良い。センサ・コンポーネント１３１４にはまた、撮像応用において用いる光センサ（たとえばＣＭＯＳまたはＣＣＤイメージ・センサ）が含まれていても良い。いくつかの実施形態では、センサ・コンポーネント１３１４はまた、加速度計センサ、ジャイロスコープ・センサ、磁気センサ、圧力センサ、または温度センサを含んでいても良い。
【００８６】
通信コンポーネント１３１６は、デバイス１３００と他のデバイスとの間の通信（有線または無線）を円滑にするように構成されている。デバイス１３００は、通信標準（たとえば、ＷｉＦｉ、２Ｇ、もしくは３Ｇ、またはそれらの組み合わせ）に基づいて無線ネットワーク側にアクセスすることができる。１つの例示的な実施形態においては、通信コンポーネント１３１６は、一斉送信信号または一斉送信関連情報を、外部の一斉送信管理システムから一斉送信チャネルを介して受信する。１つの例示的な実施形態においては、通信コンポーネント１３１６にはさらに、短距離通信を円滑にする近距離無線通信（ＮＦＣ）モジュールが含まれる。たとえば、ＮＦＣモジュールは、無線周波数識別（ＲＦＩＤ）技術、赤外線データ通信協会（ＩｒＤＡ）技術、超広帯域（ＵＷＢ）技術、ブルートゥース（登録商標）（ＢＴ）技術、および他の技術に基づいて実施しても良い。
【００８７】
例示的な実施形態において、デバイス１３００は以下のものを用いて実施しても良い。１もしくは複数の特定用途向け集積回路（ＡＳＩＣ）、デジタルシグナルプロセッサ（ＤＳＰ）、デジタル信号処理装置（ＤＳＰＤ）、プログラマブル論理回路（ＰＬＤ）、フィールドプログラマブルゲートアレイ（ＦＰＧＡ）、コントローラ、マイクロコントローラ、マイクロプロセッサ、または他の電子部品であって、前述の方法を行なうものである。
【００８８】
例示的な実施形態において、デバイス１３００内のプロセッサ１３２０によって実行可能な命令（たとえば、メモリ１３０４に含まれている）であって、前述した方法を行なうための命令を含む非一時的なコンピュータ可読記憶媒体も提供される。たとえば、非一時的コンピュータ可読記憶媒体は、ＲＯＭ、ランダムアクセスメモリ（ＲＡＭ）、ＣＤ−ＲＯＭ、磁気テープ、フロッピィ・ディスク、光学データ記憶装置などであっても良い。
【００８９】
非一時的コンピュータ可読記憶媒体であって、命令が記憶され、命令は、ソケットのプロセッサによって実行されると、ソケットに、ソケットをスイッチ・オンまたはオフするための方法を行なわせ、この方法は、ソケットのプロセッサが電源オフ後に再起動されているか否かを判断することと、プロセッサが電源オフ後に再起動されているときにソケットの状態をオフ状態に設定することと、を含む非一時的コンピュータ可読記憶媒体が提供される。
【００９０】
任意的に、ソケットのプロセッサが電源オフ後に再起動されているか否かを判断することは、ソケットの供給電圧を検出することと、ソケットのプロセッサが電源オフ後に再起動されているか否かを供給電圧の変化により判定することと、を含んでいる。
【００９１】
任意的に、ソケットのプロセッサが電源オフ後に再起動されているときに、本方法はさらに、異常メッセージをネットワーク側に送信することを備え、異常メッセージは少なくとも、ソケットのプロセッサが電源オフ後に再起動されていることを識別するデータを含み、ネットワーク側は異常メッセージを所定の端末に転送する。
【００９２】
任意的に、ソケットの状態をオフ状態に設定した後に、本方法はさらに、ネットワーク側によって転送され、ユーザ操作により生成され、所定の端末が異常メッセージを通知した後にネットワーク側に送られるスイッチ・オン命令を受信することと、ソケットの状態をスイッチ・オン命令によりオン状態に設定することと、を含んでいる。
【００９３】
任意的に、ソケットのプロセッサが電源オフ後に再起動されているときに、本方法はさらに、ソケットのＩＤ識別を取得することと、異常メッセージを生成することとを備え、異常メッセージはさらにソケットのＩＤ識別を含む。
【００９４】
任意的に、ソケットの状態をオフ状態に設定した後に、本方法はさらに、電源オフされる前のソケットの状態を取得することと、電源オフされる前のソケットの状態がオン状態であるときにソケットの状態をオン状態に設定することと、を含んでいる。
【００９５】
本発明の他の実施形態は、明細書の検討および本明細書に開示された本発明の実施から当業者には明らかである。本出願は、本発明の任意の変形、使用、または適応であって、本発明の一般的な原理に従い、当該技術分野における既知または通例の実施に入るような本開示からの逸脱を含むものに及ぶことが意図されている。明細書および実施例は単に典型的であると考えられることが意図されており、本発明の真の範囲および趣旨は以下の請求項によって示される。
【００９６】
当然のことながら、本発明は、前述し添付図面に例示した正確な構造には限定されず、種々の変更および変形をその範囲から逸脱することなく行なうことができる。本発明の範囲は添付の請求項のみによって限定されることが意図されている。
【図１】
0006368783.tif 000002
【図２】
0006368783.tif 000003
【図３】
0006368783.tif 000004
【図４】
0006368783.tif 000005
【図５】
0006368783.tif 000006
【図６】
0006368783.tif 000007
【図７】
0006368783.tif 000008
【図８】
0006368783.tif 000009
【図９】
0006368783.tif 000010
【図１０】
0006368783.tif 000011
【図１１】
0006368783.tif 000012
【図１２】
0006368783.tif 000013
【図１３】
0006368783.tif 000014